(57)【要約】【課題】簡単な構成によって表面から見たときの積層パネルの柄の深み感を強調することのできる積層パネルを提供すること。【解決手段】本発明の積層パネルは、基板１の表面に、凹凸加工を表面に施した樹脂フィルム５を一体に積層し、該樹脂フィルム５の表面に、透光性のある有色接着剤よりなる接着層８を介して透明フィルム７を一体に積層し、樹脂フィルム表面５ａと接着層裏面８ｂとを全面接着し、上記透明フィルム７が上記基板１に対して平行になるように接着層表面８ａと透明フィルム裏面７ｂとを全面接着している。【選択図】図１
2011005747.tif 000002
【特許請求の範囲】
【請求項１】
基板の表面に、凹凸加工を表面に施した樹脂フィルムを一体に積層し、該樹脂フィルムの表面に、透光性のある有色接着剤よりなる接着層を介して透明フィルムを一体に積層し、樹脂フィルム表面と接着層裏面とを全面接着し、上記透明フィルムが上記基板に対して平行になるように接着層表面と透明フィルム裏面とを全面接着していることを特徴とする積層パネル
【発明の詳細な説明】
【技術分野】
【０００１】
本発明は、水廻りの商品や壁面に用いられる積層パネルに関するものである。
【背景技術】
【０００２】
従来から水廻りの商品や壁面に用いられる、図２に示す特許文献１のような積層パネルは、最表面の透明フィルム７の裏側に、透明な接着剤６を介して、凹凸加工した透光性の樹脂フィルム５を積層し、樹脂フィルム５の裏側に、透光性のある虹彩色層４を介して着色層３を積層し、着色層３の裏側に接着剤２を介して金属板１を積層させるものであった。
【０００３】
このような積層パネルにおいては、樹脂フィルム５が内部エンボスとなり、凸部と凹部とで表面から見たときの柄に深み感を出すことができる。この積層パネルにおいて柄の深み感を強調するためには、虹彩色層４及び着色層３でその柄を着色したように見せることや、着色層３の表面に、印刷を施すことが必要であった。
【０００４】
しかし、このようにして、凹凸に対応した濃淡をつけるのは、非常に難しいという問題があった。
【先行技術文献】
【特許文献】
【０００５】
【特許文献１】特開２００８−３０７７００号公報
【発明の概要】
【発明が解決しようとする課題】
【０００６】
本発明は、簡単な構成によって表面から見たときの積層パネルの柄の深み感を強調することのできる積層パネルを提供することを課題とする。
【課題を解決するための手段】
【０００７】
上記課題を解決するための本発明の積層パネルは、基板１の表面に、凹凸加工を表面に施した樹脂フィルム５を一体に積層し、該樹脂フィルム５の表面に、透光性のある有色接着剤よりなる接着層８を介して透明フィルム７を一体に積層し、樹脂フィルム表面５ａと接着層裏面８ｂとを全面接着し、上記透明フィルム５が上記基板１に対して平行になるように接着層表面８ａと透明フィルム裏面７ｂとを全面接着していることを特徴とする。
【０００８】
このように、積層パネル表面の透明フィルム７と、内部エンボスとなる凹凸加工を表面に施した樹脂フィルム５との間全体に、透光性のある有色接着剤からなる接着層８を設け、透明フィルム７を基板１に対して平行になるように設けることで、透明フィルム裏面７ｂと、樹脂フィルム表面５ａの凹凸面との間の有色接着剤の接着層８の厚さが、凹凸面のなる応して凸部に対応する部分では薄くなり、凹凸面の凹部に対応する部分では厚くなる。したがって、凸部には淡い着色がなされ、凹部には濃い着色がなされたように見えるようになる。
【発明の効果】
【０００９】
本発明は、積層パネル表面の透明フィルムと、内部エンボスとなる凹凸加工を表面に施した樹脂フィルムとの間全体に、透光性のある有色接着剤からなる接着層を設け、透明フィルムを基板に対して平行になるように設けるだけで、凹凸に対応して濃淡をつけることができて、表面から見たときの積層パネルの柄の深み感を強調することができるという効果がある。また、色々な高さ、幅の凹凸を適宜組み合わせて凹凸加工を樹脂フィルム表面に施すことで、積層パネルに多様な柄を表示させることもできるという効果がある。
【図面の簡単な説明】
【００１０】
【図１】本発明の実施形態を示す積層パネルの断面図である。
【図２】従来例を示す積層パネルの断面図である。
【発明を実施するための形態】
【００１１】
以下、本発明を図１に示す実施形態の積層パネルに基づいて説明する。
【００１２】
本発明の実施形態の積層パネルは、浴室の壁等の水廻りに用いられる積層パネルである。
上記積層パネルは、平滑な鋼板からなる基板１の表面全体が、樹脂フィルム５で覆われて一体になった積層状態になっている。積層パネルを表面から見たときに、積層パネルに深み感のある柄を表示させるために、上記樹脂フィルム５の表面には内部エンボスとなる凹凸加工が施されている。なお、本発明において「深み感」とは、積層パネルを表面から目視した際に、内部に見える凹凸感のことをいう。ここで、基板１の裏面をコーティングするバックコート９が基板１の裏面には積層されている。
【００１３】
上記樹脂フィルム５の凹凸加工の最頂部と最底部との深さの差は、０．１ｍｍ〜０．５ｍｍである。
【００１４】
上記樹脂フィルム５の表面には、透光性のある有色接着剤よりなる接着層８を形成する。上記有色接着剤は、接着剤全量に対して１．４％以下の有色トナーを、接着剤の添加したもので、透光性を有している。上記樹脂フィルム表面５ａは、上記接着層裏面８ｂに全面接着している。
【００１５】
そして、上記樹脂フィルム表面５ａ全体に、上記透光性のある有色接着剤よりなる接着層８を介して、透明フィルム７を一体に積層させる。このとき、上記透明フィルム裏面７ｂは、上記基板表面１ａに対して平行になるように接着層表面８ａと透明フィルム裏面７ｂとが全面接着している。上記透明フィルム７には、耐薬品性に優れるＰＥＴフィルムが用いられる。この場合、積層パネルのＴＯＰコートとしてＰＥＴフィルムを用いることで、太陽の光にさらしても変色しにくくすることが可能となる。なお、上記透明フィルム７は、ポリエステル系フィルムであっても構わない。
【００１６】
このように、積層パネル表面の透明フィルム７と、内部エンボスとなる凹凸加工を表面に施した樹脂フィルム５との間全体に、透光性のある有色接着剤からなる接着層８を設け、透明フィルム７を基板１に対して平行になるように設けることで、透明フィルム裏面７ｂと、樹脂フィルム表面５ａの凹凸面との間の有色接着剤の接着層８の厚さが、凹凸面のなる応して凸部に対応する部分では薄くなり、凹凸面の凹部に対応する部分では厚くなるので、凸部には淡い着色がなされ、凹部には濃い着色がなされたように見えるようになる。よって、樹脂フィルム表面５ａの凹凸に対応して濃淡をつけることを容易に行うことができて、表面から見たときの積層パネルの柄の深み感を強調することができる。
【００１７】
図１の実施形態では、樹脂フィルム表面５ａの凹凸部の頂部５ｃと底部５ｄは、滑らかな傾斜部５ｅで繋がっており、傾斜部５ｅと、透明フィルム裏面７ｂとの間の接着層８の厚みは、傾斜部５ｅの傾斜に伴って、頂部５ｃから底部５ｄに近づくほど厚くなるので、積層パネル表面から視たとき、頂部５ｃから底部５ｄに近づくにつれて徐々に（連続的に）濃色になっていくグラデーション柄が表示される。ここで、傾斜部５ｅが、滑らかではなく階段状になっている場合、不連続的に濃淡が切り替わるグラデーション柄が表示される。すなわち、色々な高さ、幅の凹凸を適宜組み合わせて凹凸加工を樹脂フィルム表面５ａに施すことで、積層パネルに多様な柄を表示させることも可能となる。このようにすることで、本願発明では意匠性に優れた積層パネルを提供することが可能となる。
【００１８】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００１９】
１    基板
５    樹脂フィルム
５ａ  樹脂フィルム表面
５ｂ  樹脂フィルム裏面
５ｃ  頂部
５ｄ  底部
５ｅ  傾斜部
７    透明フィルム
７ａ  透明フィルム表面
７ｂ  透明フィルム裏面
８    接着層
８ａ  接着層表面
８ｂ  接着層裏面
【図１】
2011005747.tif 000003
【図２】
2011005747.tif 000004